(57)【要約】【課題】頭部装着型表示装置において、取り外し時にイヤホンジャックからイヤホンプラブが抜けるのを抑制する 【解決手段】使用者の耳に装着されて音声を出力する耳装着型音声出力部が接続される頭部装着型表示装置は、前記耳装着型音声出力部に配置された音声出力側接続部を着脱可能に接続する装着部側接続部と、画像を表す画像光を生成する画像光生成部と、を有し、使用者の頭部に装着された状態において使用者に前記画像光を虚像として認識させる頭部装着部と；操作を受け付ける第１の操作部と；装着部側接続部に音声出力側接続部が接続する場合に、接続する力を強くする調整部と、を備える。【選択図】図６
2014068200.tif 000002
【特許請求の範囲】
【請求項１】
使用者の耳に装着されて音声を出力する耳装着型音声出力部が接続される頭部装着型表示装置であって、
前記耳装着型音声出力部に配置された音声出力側接続部を着脱可能に接続する装着部側接続部と、画像を表す画像光を生成する画像光生成部と、を有し、使用者の頭部に装着された状態において使用者に前記画像光を虚像として認識させる頭部装着部と、
操作を受け付ける第１の操作部と、
前記装着部側接続部に前記音声出力側接続部が接続する場合に、前記接続する力を強くする調整部と、を備える、頭部装着型表示装置。
【請求項２】
請求項１に記載の頭部装着型表示装置であって、
前記第１の操作部は、前記頭部装着部に配置される、頭部装着型表示装置。
【請求項３】
請求項２に記載の頭部装着型表示装置であって、
前記頭部装着部は、使用者の頭部に装着された状態において、使用者の眼に向けて前記画像光を照射するために眼前に配置される画像光照射部と、前記画像光照射部の端部から延伸して使用者の頭部側面を挟むように形成されて接触する保持部と、を有し、
前記第１の操作部は、前記保持部に配置される、頭部装着型表示装置。
【請求項４】
請求項１から請求項３までのいずれか一項に記載の頭部装着型表示装置であって、
前記調整部は、前記電流が供給される電磁石と前記操作が受け付けられると前記電磁石に電流を供給する電流供給部とを有し、前記電磁石に電流を供給することによって前記音声出力側接続部に配置された金属部分を引き寄せて前記接続する力を強くする、頭部装着型表示装置。
【請求項５】
請求項１から請求項４までのいずれか一項に記載の頭部装着型表示装置であって、
前記調整部は、前記電流が供給される電磁石と前記操作が受け付けられると前記電磁石に電流を供給する電流供給部とを有し、前記装着部側接続部に前記音声出力側接続部が接続されていない場合に、前記電磁石に電流を供給することによって前記音声出力側接続部に配置された金属部分を前記装着部側接続部に引き寄せる、頭部装着型表示装置。
【請求項６】
請求項４または請求項５に記載の頭部装着型表示装置であって、
前記電流供給部は、前記操作を受け付けた時点から所定の時間が経過するまで前記電磁石に前記電流を供給する、頭部装着型表示装置。
【請求項７】
請求項４から請求項６のいずれか一項に記載の頭部装着型表示装置であって、さらに、
操作を受け付ける第２の操作部を備え、
前記電流供給部は、前記第２の操作部が操作を受け付けている間、前記電磁石に電流を供給しない、頭部装着型表示装置。
【請求項８】
請求項１から請求項７でのいずれか一項に記載の頭部装着型表示装置であって、
前記第１の操作部は、前記操作の圧力を検出し、
前記調整部は、前記圧力に基づいて前記接続する力の強さを変化させる、頭部装着型表示装置。
【請求項９】
請求項１から請求項８までのいずれか一項に記載の頭部装着型表示装置であって、
複数の前記第１の操作部を備え、
前記調整部は、複数の前記第１の操作部のうちの１つが操作を受け付けると、前記接続する力を強くする、頭部装着型表示装置。
【請求項１０】
使用者の耳に装着されて音声を出力する耳装着型音声出力部に配置された音声出力側接続部を着脱可能に接続する装着部側接続部と、画像を表す画像光を生成する画像光生成部と、を有し、使用者の頭部に装着された状態において使用者に前記画像光を虚像として認識させる頭部装着部を備える頭部装着型表示装置の制御方法であって、
操作を受け付ける工程と、
前記装着部側接続部に前記音声出力側接続部が接続する場合に、前記接続する力を強くする工程と、を備える、制御方法。
【発明の詳細な説明】
【技術分野】
【０００１】
本発明は、頭部装着型表示装置に関する。
【背景技術】
【０００２】
頭部に装着する表示装置として、頭部装着型表示装置（ヘッドマウントディスプレイ（Head Mounted Display））が知られている。頭部装着型表示装置は、コンテンツ映像等の画像を表す画像光を生成し、生成された画像光を投写光学系や導光板を利用して使用者の眼に導くことにより、使用者に虚像を視認させる。なお、本明細書では、頭部装着型表示装置によって使用者が視認する虚像を便宜的に「表示画像」とも呼ぶ。
【０００３】
頭部装着型表示装置には、例えば、使用者の耳に装着して音声等を出力するイヤホン等が接続されるジャックが形成されており、イヤホンに形成されたプラグをジャックに挿入して接続することで、頭部装着型表示装置の使用者は、表示画像等のコンテンツにおける音声等を聞くことができる。ジャックとプラグとの接続に関し、特許文献１には、ジャックからプラグが抜けてしまうことを防止するために、電子機器に形成されたジャックにＬ型プラグを挿入して回転させるとＬ型プラグの回転を規制する回り止めと、回転後のＬ型プラグにおける抜け方向の動きを規制する抜け止めと、が形成された抜け止め防止構造が開示されている。また、特許文献２には、電子機器内に形成されたロック部によって、プラグを挿入するときにジャックがスライドして電子機器の筐体から突出した状態になり、プラグを挿入していないときには筐体内にジャックが収納されることにより、小型化を実現した電子機器について開示されている。
【先行技術文献】
【特許文献】
【０００４】
【特許文献１】特開２００２−２１６８８５号公報
【特許文献２】特開２００１−２３７１９号公報
【特許文献３】特開平５−１５２０３５号公報
【特許文献４】特開２００９−１６３９６７号公報
【発明の概要】
【発明が解決しようとする課題】
【０００５】
しかし、特許文献１に記載された技術では、イヤホンにおけるプラグの抜け方向に抜け止め用のカバーを広範囲に配置する必要があるが、頭部装着型表示装置にこのような抜け止め防止構造を用いることは、頭部装着型表示装置の装着の妨げとなるために適していない。そのため、頭部装着型表示装置の装着の妨げとならずに、かつ、頭部装着型表示装置に形成された接続部であるジャックからプラグを抜けにくくしたいという課題があった。また、頭部装着型表示装置を装着している頭部から取り外すときに、イヤホンが耳に引っかかり、ジャックからプラグが抜けて（「プラグ抜け」とも呼ぶ）しまう場合があり、このようなプラグ抜けを防止したいという課題があった。また、プラグ抜けが繰り返し発生すると、ジャックが緩くなってしまい、プラグをジャックに接続できなくなるという課題があった。また、特許文献２に記載された技術では、プラグの挿入時に、外部からの力によってジャックがスライドして突出する状態になるが、頭部装着型表示装置には、プラグ挿入時以外のときにジャックを格納するスペースはなく、また、使用者は、頭部装着型表示装置を装着した状態で外部から力を加えることは難しいという課題があった。また、使用者は、頭部装着型表示装置を装着した状態で、プラグを頭部装着型表示装置に形成されたジャックに挿入することは難しく、装着時でも容易にプラグをジャックに挿入したいという課題があった。なお、上述の課題は、イヤホンに限らず、使用者の耳に装着される音声出力部である耳装着型音声出力部が装着される頭部装着型表示装置に共通する課題であった。
【課題を解決するための手段】
【０００６】
本発明は、上述の課題の少なくとも一部を解決するためになされたものであり、以下の形態として実現することが可能である。
【０００７】
（１）本発明の一形態によれば、使用者の耳に装着されて音声を出力する耳装着型音声出力部が接続される頭部装着型表示装置が提供される。この頭部装着型表示装置は、前記耳装着型音声出力部に配置された音声出力側接続部を着脱可能に接続する装着部側接続部と、画像を表す画像光を生成する画像光生成部と、を有し、使用者の頭部に装着された状態において使用者に前記画像光を虚像として認識させる頭部装着部と；操作を受け付ける第１の操作部と；前記装着部側接続部に前記音声出力側接続部が接続する場合に、前記接続する力を強くする調整部と、を備える。この形態の頭部装着型表示装置によれば、使用者の頭部に装着された頭部装着型表示装置が頭部から取り外される場合に、装着部側接続部と耳装着型音声出力部とを接続する力が強くなるため、耳装着型音声出力部が使用者の耳に引っかかって装着部側接続部から抜けてしまうことを抑制することができる。また、耳装着型音声出力部が装着部側接続部から抜けるのを防止する抑制機能を設けたため、使用者が頭部装着型表示装置の着脱時に妨げとなることを抑制することができる。また、耳装着型音声出力部が装着部側接続部から抜けることが繰り返し発生することを抑制することにより、装着部側接続部と音声出力側接続部との着脱の頻度を抑制して摩耗を少なくすることができ、装着部側接続部および頭部装着部の耐久性を向上させることができる。
【０００８】
（２）上記形態の頭部装着型表示装置において、前記第１の操作部は、前記頭部装着部に配置されても良い。この形態の頭部装着型表示装置によれば、第１の操作部は、使用者が頭部装着部を頭部から取り外す場合に操作しやすい位置に形成されているため、頭部装着部が取り外される動作に伴って装着部側接続部に耳装着型音声出力部を接続する力を強くできる。よって、使用者は、意図して第１の操作部を操作しなくても耳装着型音声出力部が装着部側接続部から抜けることを抑制することができ、頭部装着型表示装置の取り外し時における操作性が向上する。
【０００９】
（３）上記形態の頭部装着型表示装置において、前記頭部装着部は、使用者の頭部に装着された状態において、使用者の眼に向けて前記画像光を照射するために眼前に配置される画像光照射部と、前記画像光照射部の端部から延伸して使用者の頭部側面を挟むように形成されて接触する保持部と、を有し；前記第１の操作部は、前記保持部に配置されても良い。この形態の頭部装着型表示装置によれば、第１の操作部は、使用者が頭部装着部を頭部から取り外す場合に操作しやすい位置に形成されているため、頭部装着部が取り外される動作に伴って装着部側接続部に耳装着型音声出力部を接続する力を強くできる。よって、使用者は、意図して第１の操作部を操作しなくても耳装着型音声出力部が装着部側接続部から抜けることを抑制することができ、頭部装着型表示装置の取り外し時における操作性がより向上する。
【００１０】
（４）上記形態の頭部装着型表示装置において、前記調整部は、前記電流が供給される電磁石と前記操作が受け付けられると前記電磁石に電流を供給する電流供給部とを有し、前記電磁石に電流を供給することによって前記音声出力側接続部に配置された金属部分を引き寄せて前記接続する力を強くしても良い。この形態の頭部装着型表示装置によれば、電磁石の磁力によって装着部側接続部と耳装着型音声出力部とが接続されるので、頭部装着部に複雑な構成が必要とされずに、簡便な構成によって耳装着型音声出力部が装着部側接続部から抜けることを抑制することができる。
【００１１】
（５）上記形態の頭部装着型表示装置において、前記調整部は、前記電流が供給される電磁石と前記操作が受け付けられると前記電磁石に電流を供給する電流供給部とを有し、前記装着部側接続部に前記音声出力側接続部が接続されていない場合に、前記電磁石に電流を供給することによって前記音声出力側接続部に配置された金属部分を前記装着部側接続部に引き寄せても良い。この形態の頭部装着型表示装置によれば、耳装着型音声出力部が接続されていない頭部装着部を使用者の頭部に装着した後に、耳装着型音声出力部が装着部側接続部に接続される場合には、電磁石の磁力によって耳装着型音声出力部が装着部側接続部に誘導される。よって、使用者は、容易に頭部装着部に耳装着型音声出力部を接続することができる。
【００１２】
（６）上記形態の頭部装着型表示装置において、前記電流供給部は、前記操作を受け付けた時点から所定の時間が経過するまで前記電磁石に前記電流を供給しても良い。この形態の頭部装着型表示装置によれば、使用者が頭部に装着していた頭部装着型表示装置を取り外す場合に、一時的に第１の操作部を操作しなかったとしても、所定の時間は電磁石が磁石として機能するため、耳装着型音声出力部が装着部側接続部から抜けることをより抑制することができる。
【００１３】
（７）上記形態の頭部装着型表示装置において、さらに；操作を受け付ける第２の操作部を備え；前記電流供給部は、前記第２の操作部が操作を受け付けている間、前記電磁石に電流を供給しなくても良い。この形態の頭部装着型表示装置によれば、使用者が頭部装着部に接続された耳装着型音声出力部を取り外したい場合に、頭部装着部を掴んだ位置に第１の操作部が配置されていたとしても、第２の操作部を操作することで、容易に頭部装着部から耳装着型音声出力部を取り外すことができる。
【００１４】
（８）上記形態の頭部装着型表示装置において、前記第１の操作部は、前記操作の圧力を検出し；前記調整部は、前記圧力に基づいて前記接続する力の強さを変化させても良い。この頭部装着型表示装置によれば、使用者は、装着部側接続部が耳装着型音声出力部を接続する力の強さを、第１の操作部を操作する圧力として感覚的に操作でき、操作性が向上する。
【００１５】
（９）上記形態の頭部装着型表示装置において、複数の前記第１の操作部を備え；前記調整部は、複数の前記第１の操作部のうちの１つが操作を受け付けると、前記接続する力を強くしても良い。この頭部装着型表示装置によれば、複数の第１の操作部のうち一部の第１の操作部を操作すれば耳装着型音声出力部が装着部側接続部から抜けることを抑制することができ、操作性が向上する。
【００１６】
上述した本発明の各形態の有する複数の構成要素はすべてが必須のものではなく、上述の課題の一部または全部を解決するため、あるいは、本明細書に記載された効果の一部または全部を達成するために、適宜、前記複数の構成要素の一部の構成要素について、その変更、削除、新たな他の構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００１７】
例えば、本発明の一形態は、頭部装着部と、第１の操作部と、調整部と、の３つ要素の内の一つ以上または全部の要素を備えた装置として実現可能である。すなわち、この装置は、頭部装着部を有していても良く、有していなくても良い。また、装置は、第１の操作部を有していても良く、有していなくても良い。また、装置は、調整部を有していても良く、有していなくても良い。頭部装着部は、例えば、画像を表す画像光を生成する画像光生成部を有し、使用者の頭部に装着された状態において使用者に画像光を虚像として認識させ、耳装着型音声出力部に形成された音声出力側接続部に着脱可能を接続する装着部側接続部を有していても良い。第１の操作部は、例えば、操作を受け付けても良い。調整部は、装着部側接続部に音声出力側接続部が接続する場合に、接続する力を強くしても良い。こうした装置は、例えば頭部装着型表示装置として実現できるが、頭部装着型表示装置以外の他の装置としても実現可能である。このような形態によれば、装置の操作性の向上、耐久性の向上、着脱時の容易化、装置の小型化や、低コスト化、製造の容易化等の種々の課題の少なくとも１つを解決することができる。前述した頭部装着型表示装置の各形態の技術的特徴の一部または全部は、いずれもこの装置に適用することが可能である。
【００１８】
本発明は、頭部装着型表示装置以外の種々の形態で実現することも可能である。例えば、頭部装着型表示装置の制御方法、頭部装着型表示システム、これらの方法、装置またはシステムの機能を実現するためのコンピュータープログラム、そのコンピュータープログラムを記録した記録媒体、そのコンピュータープログラムを含み搬送波内に具現化されたデータ信号等の形態で実現することができる。
【図面の簡単な説明】
【００１９】
【図１】本発明の実施形態における頭部装着型表示装置１００の外観構成を示す説明図である。
【図２】本発明の実施形態における頭部装着型表示装置１００の外観構成を示す説明図である。
【図３】頭部装着部２０とイヤホン７０との接続部の詳細を示す説明図である。
【図４】本実施形態における頭部装着型表示装置１００の構成を機能的に示す説明図である。
【図５】頭部装着型表示装置１００に着脱されるイヤホン７０，８０におけるイヤホンロックの制御処理の流れを示す説明図である。
【図６】頭部装着型表示装置１００を使用者の頭部から取り外す場合の概略を示す説明図である。
【図７】変形例における頭部装着部２０と右イヤホン７０との接続部の詳細を示す説明図である。
【発明を実施するための形態】
【００２０】
次に、本発明の実施の形態を実施例に基づいて以下の順序で説明する。
Ａ．実施形態：
Ａ−１．頭部装着型表示装置の装置構成：
Ａ−２．イヤホンロックの制御処理：
Ｂ．変形例：
【００２１】
Ａ．実施形態：
Ａ−１．頭部装着型表示装置の装置構成：
図１および図２は、本発明の実施形態における頭部装着型表示装置１００の外観構成を示す説明図である。図３は、頭部装着部２０とイヤホン７０との接続部の詳細を示す説明図である。
【００２２】
図１に示すように、頭部装着型表示装置１００は、頭部に装着する表示装置であり、ヘッドマウントディスプレイ（Head Mounted Display、ＨＭＤ）とも呼ばれる。本実施形態の頭部装着型表示装置１００は、使用者が、虚像を視認すると同時に外景も直接視認可能な光学透過型の頭部装着型表示装置である。頭部装着型表示装置１００は、使用者の頭部に装着される眼鏡形状の装着体で、装着された状態において使用者に虚像を視認させる頭部装着部２０と、頭部装着部２０を制御する制御部（コントローラー）１０と、を備えている。
【００２３】
頭部装着部２０は、右保持部２１と、右表示駆動部２２と、左保持部２３と、左表示駆動部２４と、右光学像表示部２６と、左光学像表示部２８と、を含んでいる。右光学像表示部２６および左光学像表示部２８は、頭部装着型表示装置１００の装着時における使用者の右および左の眼前に対応する位置に配置されている。右光学像表示部２６の一端と、左光学像表示部２８の一端は、それぞれ、頭部装着型表示装置１００の装着時における使用者の眉間に対応する位置で接続されている。右光学像表示部２６の他端である端部ＥＲからは、右保持部２１が延伸している。同様に、左光学像表示部２８の他端である端部ＥＬからは、左保持部２３が延伸している。
【００２４】
右保持部２１は、右光学像表示部２６の端部ＥＲから、頭部装着型表示装置１００の装着時における使用者の側頭部に対応する位置にかけて、右光学像表示部２６とほぼ直角をなすように延伸して設けられた部材である。同様に、左保持部２３は、左光学像表示部２８の端部ＥＬから、頭部装着型表示装置１００の装着時における使用者の側頭部に対応する位置にかけて、左光学像表示部２８とほぼ直角をなすように延伸して設けられた部材である。右保持部２１と左保持部２３とは、眼鏡のテンプル（つる）のようにして、使用者の頭部に頭部装着型表示装置１００を保持する。なお、右保持部２１と左保持部２３とを合わせて「保持部」とも呼ぶ。
【００２５】
図１に示すように、右表示駆動部２２は、右保持部２１の内側（換言すれば、頭部装着型表示装置１００の装着時における使用者の頭部に対向する側）であって、右光学像表示部２６の端部ＥＲ側に配置されている。また、左表示駆動部２４は、左保持部２３の内側であって、左光学像表示部２８の端部ＥＬ側に配置されている。なお、以降では、右表示駆動部２２および左表示駆動部２４を総称して単に「表示駆動部」と、右光学像表示部２６および左光学像表示部２８を総称して単に「光学像表示部」とも呼び、光学像表示部２６，２８は、本発明における画像光照射部に相当する。
【００２６】
表示駆動部２２、２４は、図示しないＬＣＤ（Liquid Crystal Display：液晶ディスプレイ）や、投写光学系等を含む。詳細は後述する。光学部材としての光学像表示部２６、２８は、図示しない導光板と、調光板とを含んでいる。導光板は、光透過性の樹脂材料等によって形成され、表示駆動部２２、２４から取り込んだ画像光を使用者の眼に向けて出力させる。調光板は、薄板状の光学素子であり、頭部装着型表示装置１００の表側（使用者の眼の側とは反対の側）を覆うように配置されている。調光板は、導光板を保護し、導光板の損傷や、汚れの付着等を抑制するとともに、調光板の光透過率を調整することにより、使用者の眼に入る外光量を調整し、虚像の視認のしやすさを調整することができる。なお、調光板は省略可能である。
【００２７】
頭部装着部２０には、右耳用の右イヤホン７０および左耳用の左イヤホン８０が接続されている。右イヤホン７０および左イヤホン８０（以降、合わせて「イヤホン」とも呼ぶ）は、使用者が頭部装着部２０を装着した際に、それぞれ右および左の耳に装着され、頭部装着部２０と着脱可能に形成されている。
【００２８】
図２（ａ）には、頭部装着部２０の斜視図が示されている。図２（ｂ）には、頭部装着部２０における右保持部２１の斜視図が示されている。図２（ａ）に示すように、左表示駆動部２４には、左ロックボタン２７と左イヤホンジャック３４とが形成されている。また、同じように、右表示駆動部２２には、右ロックボタン２５と右イヤホンジャック３２とが形成されている。なお、右ロックボタン２５と左ロックボタン２７とを合わせて「ロックボタン」とも呼び、右イヤホンジャック３２と左イヤホンジャック３４とを合わせて「イヤホンジャック」とも呼ぶ。
【００２９】
左表示駆動部２４における左イヤホンジャック３４は、左イヤホン８０の一端に形成された左イヤホンプラグ８２が挿入されて接続する部材である。また、図２（ｂ）に示すように、右表示駆動部２２における右イヤホンジャック３２は、右イヤホン７０の一端に形成された右イヤホンプラグ７２が挿入されて接続する部材である。なお、右イヤホンプラグ７２と左イヤホンプラグ８２とを合わせて「イヤホンプラグ」とも呼ぶ。なお、イヤホン７０，８０は、本発明における耳装着型音声出力部（「耳装着型音声出力装置」であっても良い）に相当し、イヤホンプラグ７２，８２は、本発明における音声出力側接続部に相当する。また、イヤホンジャック３２，３４は、本発明における装着部側接続部に相当する。
【００３０】
図２（ｂ）に示すように、右表示駆動部２２における右ロックボタン２５は、図示していないスプリングによって右表示駆動部２２との相対位置関係が定められており、力が加えられていない状態では決まった位置に戻るように設定されている。右ロックボタン２５は、Ｙ軸に沿って動くことができ、Ｙ軸下方向に押し下げられると右表示駆動部２２の内部に形成された検出基板６５との位置関係が変化する。なお、右表示駆動部２２に対する検出基板６５の相対位置は固定されている。検出基板６５には、右ロックボタン２５と対向する面に、接触式のスイッチと圧力センサーとが形成されている。検出基板６５における接触式のスイッチは、右ロックボタン２５が一定量押し下げられると、右ロックボタン２５と接触して、接触があったことを検出する。また、接触式の圧力センサーは、使用者がロックボタン２５，２７を押し下げる力、すなわち、右ロックボタン２５が検出基板６５に及ぼす接触圧力を検出する。なお、他の実施形態では、右ロックボタン２５と検出基板６５との接触有無および接触圧力を検出する方法は種々変形可能であり、例えば、非接触のセンサー等を用いても良いし、接触式のスイッチおよび圧力センサーが検出基板６５ではなく、右ロックボタン２５に形成されていても良い。左ロックボタン２７は、右ロックボタン２５と同じように、一定量Ｙ軸下方向に押し下げられると左表示駆動部２４の内部に形成された検出基板６５に接触して、検出基板６５に形成された接触式のスイッチと圧力センサーとが接触および接触圧力を検出する。なお、ロックボタン２５，２７は、本発明における第１の操作部に相当する。
【００３１】
検出基板６５は、配線を介して制御部１０と接続されており、ロックボタン２５，２７との接触を検出信号として制御部１０に送信する。また、検出基板６５は、検出基板６５にロックボタン２５，２７が接触する圧力を検出して、検出圧力についても制御部１０に送信する。
【００３２】
図３（ａ）には、頭部装着部２０における右イヤホンジャック３２に右イヤホン７０が接続されている状態が示され、図３（ｂ）には、右イヤホンジャック３２に右イヤホン７０が接続されていない状態が示されている。なお、右イヤホンジャック３２および右イヤホン７０に接続されている配線は図示を省略している。また、左イヤホンジャック３４と左イヤホン８０とは、右イヤホンジャック３２と右イヤホン７０との関係と同じように接続される。
【００３３】
右イヤホンジャック３２は、円筒状の形状をしている。右イヤホンジャック３２には、円筒の中心軸を同軸として、さらに半径の小さい円筒状の穴部が右イヤホンプラグ７２の挿入部３７として形成されており、この挿入部３７に右イヤホンプラグ７２の先端が挿入されて接続される。また、右イヤホンジャック３２には、円筒における一端である右イヤホンプラグ７２との接続側にドーナツ状の右側電磁石３６が形成されている。右側電磁石３６は、挿入部３７を取り囲むようなコイルとして形成されており、制御部１０から電流が供給されると磁石として機能する。なお、右イヤホンジャック３２と同じように、左イヤホンジャック３４に左側電磁石３８が形成されており、右側電磁石３６と左側電磁石３８とを合わせて「電磁石」と呼ぶ。
【００３４】
右イヤホンプラグ７２は、挿入部３７に挿入されて右イヤホンジャック３２と接続されることで、頭部装着部２０を介して音声信号を受信する。また、右イヤホンプラグ７２には、右イヤホンジャック３２と接続したときに右イヤホンジャック３２の右側電磁石３６と隣接する金属部７４が形成されている。金属部７４は、右イヤホンジャック３２の右側電磁石３６に電流が供給されて磁石として機能すると、右側電磁石３６と磁力によって吸着する。なお、左イヤホン８０には、右イヤホン７０と同じように、左イヤホンプラグ８２および金属部８４が形成されている。
【００３５】
図１に示すように、頭部装着部２０は、さらに、頭部装着部２０を制御部１０に接続するための接続部４０を有している。接続部４０は、制御部１０に接続される本体コード４８と、本体コード４８が２本に分岐した右コード４２と、左コード４４と、分岐点に設けられた連結部材４６と、を含んでいる。右コード４２は、右保持部２１の延伸方向の先端部ＡＰから右保持部２１の筐体内に挿入され、右表示駆動部２２に接続されている。同様に、左コード４４は、左保持部２３の延伸方向の先端部ＡＰから左保持部２３の筐体内に挿入され、左表示駆動部２４に接続されている。
【００３６】
頭部装着部２０と制御部１０とは、接続部４０を介して各種信号の伝送を行う。本体コード４８における連結部材４６とは反対側の端部と、制御部１０とのそれぞれには、互いに嵌合するコネクター（図示省略）が設けられており、本体コード４８のコネクターと制御部１０のコネクターとの嵌合／嵌合解除により、制御部１０と頭部装着部２０とが接続されたり切り離されたりする。右コード４２と、左コード４４と、本体コード４８と、には、例えば、金属ケーブルや光ファイバーを採用することができる。
【００３７】
制御部１０は、頭部装着型表示装置１００を操作するための装置である。制御部１０は、決定キー１１と、点灯部１２と、表示切替キー１３と、トラックパッド１４と、輝度切替キー１５と、方向キー１６と、メニューキー１７と、電源スイッチ１８と、を含んでいる。決定キー１１は、押下操作を検出して、制御部１０で操作された内容を決定する信号を出力する。点灯部１２は、頭部装着型表示装置１００の動作状態（例えば、電源のＯＮ／ＯＦＦ等）を、その発光状態によって通知する。点灯部１２としては、例えば、ＬＥＤ（Light Emitting Diode）を用いることができる。表示切替キー１３は、押下操作を検出して、例えば、コンテンツ動画の表示モードを３Ｄと２Ｄとに切り替える信号を出力する。トラックパッド１４は、トラックパッド１４の操作面上での使用者の指の操作を検出して、検出内容に応じた信号を出力する。トラックパッド１４としては、静電式や圧力検出式、光学式といった種々のトラックパッドを採用することができる。輝度切替キー１５は、押下操作を検出して、頭部装着部２０の輝度を増減する信号を出力する。方向キー１６は、上下左右方向に対応するキーへの押下操作を検出して、検出内容に応じた信号を出力する。電源スイッチ１８は、スイッチのスライド操作を検出することで、頭部装着型表示装置１００の電源投入状態を切り替える。
【００３８】
図４は、本実施形態における頭部装着型表示装置１００の構成を機能的に示す説明図である。図４に示すように、制御部１０は、ＣＰＵ１４０と、使用者により操作される操作部１３５（本実施形態では、決定キー１１、表示切替キー１３、トラックパッド１４、輝度切替キー１５、方向キー１６、メニューキー１７、電源スイッチ１８）と、使用者による操作入力に応じた信号（例えば、トラックパッド１４や方向キー１６、電源スイッチ１８に対する操作入力）を取得する入力情報取得部１１０と、ＲＯＭやＲＡＭ等により構成された記憶部１２０と、頭部装着型表示装置１００の各部に電力を供給する電源１３０と、画像（静止画像、動画像）や音声等のコンテンツデータの供給元となる種々の外部機器ＯＡ（例えば、パーソナルコンピューターＰＣや携帯電話端末、ゲーム端末）を接続するためのインターフェイス１８０と、送信部（Ｔｘ）５１および５２と、頭部装着部２０に電流を供給する電流供給部１６８と、を有している。電源１３０としては、例えば二次電池を用いることができ、インターフェイス１８０としては、例えばＵＳＢインターフェイスやメモリーカード用インターフェイス、無線ＬＡＮインターフェイス等を採用することができる。
【００３９】
記憶部１２０には、種々のコンピュータープログラムが格納されており、ＣＰＵ１４０は、記憶部１２０からコンピュータープログラムを読み出して実行することにより、オペレーティングシステム（ＯＳ）１５０、画像処理部１６０、表示制御部１９０、音声処理部１７０、検出制御部１６５として機能する。
【００４０】
画像処理部１６０は、インターフェイス１８０を介して入力されるコンテンツに基づき、クロック信号ＰＣＬＫ、垂直同期信号ＶＳｙｎｃ、水平同期信号ＨＳｙｎｃ、画像データＤａｔａを生成し、接続部４０を介してこれらの信号を頭部装着部２０に供給する。具体的には、画像処理部１６０は、コンテンツに含まれる画像信号を取得する。取得した画像信号は、例えば動画像の場合、一般的に、１秒あたり３０枚のフレーム画像から構成されているアナログ信号である。画像処理部１６０は、取得した画像信号から、垂直同期信号ＶＳｙｎｃや水平同期信号ＨＳｙｎｃ等の同期信号を分離する。また、画像処理部１６０は、分離した垂直同期信号ＶＳｙｎｃや水平同期信号ＨＳｙｎｃの周期に応じて、図示しないＰＬＬ（Phase Locked Loop）回路等を利用してクロック信号ＰＣＬＫを生成する。
【００４１】
画像処理部１６０は、同期信号が分離されたアナログ画像信号を、図示しないＡ／Ｄ変換回路等を用いてディジタル画像信号に変換する。その後、画像処理部１６０は、変換後のディジタル画像信号を、対象画像の画像データＤａｔａ（ＲＧＢデータ）として、１フレームごとに記憶部１２０内のＤＲＡＭに格納する。なお、画像処理部１６０は、必要に応じて、画像データに対して、解像度変換処理、輝度、彩度の調整といった種々の色調補正処理、キーストーン補正処理等の画像処理を実行してもよい。
【００４２】
画像処理部１６０は、生成したクロック信号ＰＣＬＫ、垂直同期信号ＶＳｙｎｃ、水平同期信号ＨＳｙｎｃと、記憶部１２０内のＤＲＡＭに格納された画像データＤａｔａとを、送信部５１、５２を介してそれぞれ送信する。送信部５１、５２は、制御部１０と頭部装着部２０との間におけるシリアル伝送のためのトランシーバーとして機能する。
【００４３】
表示制御部１９０は、表示駆動部２２、２４を制御する制御信号を生成する。具体的には、表示制御部１９０は、制御信号により、右ＬＣＤ制御部２１１による右ＬＣＤ２４１の駆動ＯＮ／ＯＦＦや、右バックライト制御部２０１による右バックライト２２１の駆動ＯＮ／ＯＦＦ、左ＬＣＤ制御部２１２による左ＬＣＤ２４２の駆動ＯＮ／ＯＦＦや、左バックライト制御部２０２による左バックライト２２２の駆動ＯＮ／ＯＦＦ、などを個別に制御することにより、表示駆動部２２、２４のそれぞれによる画像光の生成および出力を制御する。例えば、表示制御部１９０は、表示駆動部２２および左表示駆動部２４の両方に画像光を生成させたり、一方のみに画像光を生成させたり、両方共に画像光を生成させなかったりする。なお、右ＬＣＤ２４１および左ＬＣＤ２４２を合わせて「画像形成パネル」とも呼ぶ。
【００４４】
表示制御部１９０は、右ＬＣＤ制御部２１１と左ＬＣＤ制御部２１２とに対する制御信号を、送信部５１、５２を介してそれぞれ送信する。また、表示制御部１９０は、右バックライト制御部２０１と左バックライト制御部２０２とに対する制御信号を、それぞれ送信する。
【００４５】
音声処理部１７０は、コンテンツデータに含まれる音声信号を取得し、取得した音声信号を増幅する。
【００４６】
検出制御部１６５は、頭部装着部２０におけるロックボタン２５，２７と検出基板６５との接触による圧力に関して検出基板６５が送信する検出信号を接続部４０を介して受信し、検出信号に基づいて電流供給部１６８に電流の供給についての制御信号を送信する。
【００４７】
電流供給部１６８は、検出制御部１６５から送信された制御信号を受信して、イヤホンジャック３２，３４における電磁石３６，３８に電流を供給する。本実施形態では、電磁石３６，３８に供給される電流は、検出基板６５が検出した圧力の大きさに応じて大きくなる。具体的には、電流供給部１６８は、右ロックボタン２５または左ロックボタン２７が強い力で押し下げられると大きな電流を供給し、弱い力で押し下げられると小さな電流を供給する。なお、検出基板６５、検出制御部１６５、電流供給部１６８および電磁石３６，３８は、本発明における調整部に相当する。
【００４８】
頭部装着部２０は、右表示駆動部２２と、左表示駆動部２４と、右光学像表示部２６としての右導光板２６１と、左光学像表示部２８としての左導光板２６２と、検出基板６５と、右ロックボタン２５と、左ロックボタン２７と、右イヤホンジャック３２と、左イヤホンジャック３４と、を備えている。
【００４９】
右表示駆動部２２は、受信部（Ｒｘ）５３と、光源として機能する右バックライト（ＢＬ）制御部２０１および右バックライト（ＢＬ）２２１と、表示素子として機能する右ＬＣＤ制御部２１１および右ＬＣＤ２４１と、右投写光学系２５１と、を含んでいる。
【００５０】
受信部５３は、制御部１０と頭部装着部２０との間におけるシリアル伝送のためのレシーバーとして機能する。右バックライト制御部２０１は、入力された制御信号に基づいて、右バックライト２２１を駆動する機能を有する。右バックライト２２１は、例えば、ＬＥＤやエレクトロルミネセンス（ＥＬ）等の発光体である。右ＬＣＤ制御部２１１は、受信部５３を介して入力されたクロック信号ＰＣＬＫと、垂直同期信号ＶＳｙｎｃと、水平同期信号ＨＳｙｎｃと、右眼用画像データと、に基づいて、右ＬＣＤ２４１を駆動する機能を有する。右ＬＣＤ２４１は、複数の画素を配置した透過型液晶パネルである。
【００５１】
右投写光学系２５１は、右ＬＣＤ２４１から出力された画像光を並行状態の光束にするコリメートレンズによって構成される。右光学像表示部２６としての右導光板２６１は、右投写光学系２５１から出力された画像光を、所定の光路に沿って反射させつつ使用者の右眼ＲＥに導く。導光部は、画像光を用いて使用者に虚像を視認させる限りにおいて任意の方式を用いることができ、例えば、回折格子を用いても良いし、半透過反射膜を用いても良い。
【００５２】
左表示駆動部２４は、受信部（Ｒｘ）５４と、光源として機能する左バックライト（ＢＬ）制御部２０２および左バックライト（ＢＬ）２２２と、表示素子として機能する左ＬＣＤ制御部２１２および左ＬＣＤ２４２と、左投写光学系２５２と、を含んでいる。右表示駆動部２２と左表示駆動部２４とは対になっており、左表示駆動部２４の各部は、右表示駆動部２２で説明する各部と同様の構成および動作を有するので詳細な説明は省略する。
【００５３】
検出基板６５は、右ロックボタン２５または左ロックボタン２７が押し下げられると、押し下げられたロックボタン２５，２７の一部と接触し、検出制御部１６５に接触したことおよび接触圧力を検出信号として送信する。
【００５４】
このようにして、頭部装着型表示装置１００の使用者の両眼に導かれた画像光が網膜に結像することにより、使用者は虚像を視認する。
【００５５】
Ａ−２．イヤホンロックの制御処理：
図５は、頭部装着型表示装置１００に着脱されるイヤホン７０，８０におけるイヤホンロックの制御処理の流れを示す説明図である。図５には、使用者が、頭部装着型表示装置１００を装着し、装着後にイヤホン７０，８０を頭部装着型表示装置１００に取り付け、その後、イヤホン７０，８０と頭部装着型表示装置１００とを一体で頭部から取り外すまでの処理が示されている。
【００５６】
初めに、使用者は、イヤホン７０，８０が装着されていない頭部装着型表示装置１００を頭部に装着する（ステップＳ３１０）。次に、使用者の頭部に装着された頭部装着型表示装置１００にイヤホン７０，８０が装着される（ステップＳ３２０）。
【００５７】
使用者は、頭部に装着した頭部装着型表示装置１００のイヤホンジャック３２，３４にイヤホン７０，８０を挿入する場合、視覚でイヤホンジャック３２，３４を確認することができないため、イヤホン７０，８０を挿入しづらい。本実施形態では、使用者は、右ロックボタン２５または左ロックボタン２７のいずれか１つを押し下げると、右側電磁石３６および左側電磁石３８の両方に電流が供給されて磁力が発生し、イヤホン７０，８０をイヤホンジャック３２，３４に挿入しやすくなる。具体的には、例えば、使用者は、右手で右ロックボタン２５を押し下げると（ステップＳ３３０）、右ロックボタン２５と検出基板６５とが接触する。その後、左側電磁石３８は、電流が供給されて磁石として機能する（ステップＳ３４０）。左側電磁石３８と左イヤホン８０における金属部８４との間に生じる磁力によって、左側電磁石３８と金属部８４とが吸着して、左イヤホンジャック３４に左イヤホン８０が挿入される（ステップＳ３５０）。同じように、右イヤホン７０は、右イヤホンジャック３２に挿入される。そのため、使用者は、頭部装着型表示装置１００を頭部に装着した後でも、容易にイヤホン７０，８０を頭部装着型表示装置１００に装着することができる。
【００５８】
図６は、頭部装着型表示装置１００を使用者の頭部から取り外す場合の概略を示す説明図である。図６には、使用者が頭部装着型表示装置１００を頭部から取り外す場合に、使用者の両手がロックボタン２５，２７を押し下げている状態が示されている。
【００５９】
使用者は、頭部装着型表示装置１００を取り外す場合に、頭部装着型表示装置１００の一部を手で掴むことになり、最も掴みやすい位置に形成された右ロックボタン２５および左ロックボタン２７を押し下げる（ステップＳ３６０）。
【００６０】
次に、押し下げられたロックボタン２５，２７と検出基板６５との接触により、電磁石３６，３８は、電流が供給されて磁石として機能する（ステップＳ３７０）。なお、本実施形態では、検出基板６５が検出したロックボタン２５，２７との接触圧力が高いほど、電流供給部１６８が供給する電流が大きくなる。すなわち、ロックボタン２５，２７が押し下げられる力が強いほど、イヤホンジャック３２，３４がイヤホン７０，８０を電気的に接続する力が強くなるように設定されている。
【００６１】
次に、検出制御部１６５は、右ロックボタン２５または左ロックボタン２７が引き続き押し下げられた状態であるか否かを判定する（ステップＳ３８０）。右ロックボタン２５または左ロックボタン２７が押し下げられた状態である場合には（ステップＳ３８０：ＹＥＳ）、電磁石３６，３８は、電流が供給されて磁石として機能し続ける（ステップＳ３７０）。右ロックボタン２５および左ロックボタン２７が押し下げられずに検出基板６５と接触していない場合には（ステップＳ３８０：ＮＯ）、検出制御部１６５は、ロックボタン２５，２７と検出基板６５とが接触しなくなってから１０秒が経過しているか否かを判定する（ステップＳ３９０）。
【００６２】
ステップＳ３９０において、経過した時間が１０秒未満の場合には（ステップＳ３９０：ＮＯ）、使用者が頭部から頭部装着型表示装置１００を取り外す作業の途中であるかもしれないため、検出制御部１６５は、電磁石３６，３８に電流を供給させ続けて、磁石として機能させる。ステップＳ３９０において、経過した時間が１０秒以上の場合には（ステップＳ３９０：ＹＥＳ）、使用者が頭部から頭部装着型表示装置１００を取り外す作業を終えたと考えられるため、検出制御部１６５は、電磁石３６，３８に電流の供給を中止させる（ステップＳ４００）。
【００６３】
以上説明したように、本実施形態における頭部装着型表示装置１００は、使用者の頭部に装着される表示装置である。頭部装着型表示装置１００は、装着された状態において使用者に画像形成パネルによって生成した画像光を虚像として視認させ、使用者の耳に装着されるイヤホン７０，８０のイヤホンプラグ７２，８２が着脱可能に接続されるイヤホンジャック３２，３４を有する頭部装着部２０を備えている。また、頭部装着型表示装置１００は、使用者の押下操作を受け付けるロックボタン２５，２７を備える。また、頭部装着型表示装置１００に形成された検出基板６５、検出制御部１６５、電流供給部１６８および電磁石３６，３８は、イヤホンジャック３２，３４とイヤホンプラグ７２，８２とが接続される力を強くすることができる。そのため、本実施形態における頭部装着型表示装置１００では、使用者の頭部に装着された頭部装着型表示装置１００が頭部から取り外される場合に、イヤホンジャック３２，３４とイヤホン７０，８０とを接続する力が強くなる。よって、イヤホン７０，８０が使用者の耳に引っかかってイヤホンジャック３２，３４から抜けてしまうこと（以降、「プラグ抜け」とも呼ぶ）を抑制することができる。また、プラグ抜けを防止するために、イヤホンジャック３２，３４とイヤホン７０，８０におけるイヤホンプラグ７２，８２との間にプラグ抜けを抑制する機能を設けたため、使用者が頭部装着型表示装置１００の着脱時に妨げとなることを抑制することができる。また、プラグ抜けが繰り返し発生することを抑制することにより、イヤホンジャック３２，３４とイヤホンプラグ７２，８２との着脱の頻度を抑制して摩耗を少なくすることができ、イヤホンジャック３２，３４および頭部装着部２０の耐久性を向上させることができる。
【００６４】
また、本実施形態における頭部装着型表示装置１００では、頭部装着部２０は、頭部装着型表示装置１００が装着された状態において、使用者の眼前に対応する位置に配置された光学像表示部２６，２８と、光学像表示部２６，２８とほぼ直角をなすように延伸して使用者の側頭部に対応する位置に設けられた保持部２１，２３と、を有している。ロックボタン２５，２７は、保持部２１，２３に形成されている。そのため、本実施形態における頭部装着型表示装置１００では、ロックボタン２５，２７は、使用者が頭部装着部２０を頭部から取り外す場合に掴みやすい位置に配置されているため、頭部装着部２０が取り外される動作に伴ってイヤホンジャック３２，３４にイヤホン７０，８０を接続する力を強くできる。よって、使用者は、意図してロックボタン２５，２７を押し下げなくてもプラグ抜けを抑制することができ、頭部装着型表示装置１００の取り外し時における操作性が向上する。
【００６５】
また、本実施形態における頭部装着型表示装置１００では、頭部装着部２０の表示駆動部２２，２４に配置された検出基板６５は、ロックボタン２５，２７が押し下げられると、ロックボタン２５，２７との接触に基づく検出信号を制御部１０における検出制御部１６５に送信する。検出制御部１６５は、受信した検出信号に基づいて電流供給部１６８に制御信号を送信する。電流供給部１６８は、受信した制御信号に基づきイヤホンジャック３２，３４に配置された電磁石３６，３８に電流を供給する。電磁石３６，３８は、供給された電流によって磁石として機能し、イヤホンプラグ７２，８２に配置された金属部７４，８４と吸着する。そのため、本実施形態における頭部装着型表示装置１００では、電磁石３６，３８の磁力によってイヤホンジャック３２，３４とイヤホン７０，８０とが接続されるので、頭部装着部２０に複雑な構成が必要とされずに、簡便な構成によってプラグ抜けを抑制することができる。また、イヤホン７０，８０が接続されていない頭部装着部２０を使用者の頭部に装着した後に、イヤホン７０，８０がイヤホンジャック３２，３４に接続される場合には、電磁石３６，３８の磁力によってイヤホン７０，８０がイヤホンジャック３２，３４に誘導される。よって、使用者は、容易に頭部装着部２０にイヤホン７０，８０を接続することができる。
【００６６】
また、本実施形態における頭部装着型表示装置１００では、電流供給部１６８は、ロックボタン２５，２７が押し下げられた後に押し下げられなくなっても、押し下げられなくなった時点から１０秒経過するまでは、電磁石３６，３８に電流を供給し続ける。そのため、本実施形態における頭部装着型表示装置１００では、使用者が頭部に装着していた頭部装着型表示装置１００を取り外す場合に、一時的にロックボタン２５，２７を押し下げなかったとしても、一定時間は電磁石３６，３８が磁石として機能するため、プラグ抜けをより抑制することができる。
【００６７】
また、本実施形態における頭部装着型表示装置１００では、検出基板６５は、ロックボタン２５，２７と接触して接触圧力を検出する。イヤホンジャック３２，３４がイヤホン７０，８０を接続する力は、検出基板６５が検出した接触圧力に基づいて調整される。そのため、本実施形態における頭部装着型表示装置１００では、使用者は、イヤホンジャック３２，３４がイヤホン７０，８０を接続する力の強さを、ロックボタン２５，２７を押し下げる力として感覚的に操作でき、操作性が向上する。
【００６８】
また、本実施形態における頭部装着型表示装置１００では、右ロックボタン２５および左ロックボタン２７が頭部装着部２０に配置され、少なくとも一方のロックボタンが押し下げられると、イヤホンジャック３２，３４がイヤホン７０，８０を接続する力が強くなる。そのため、本実施形態における頭部装着型表示装置１００では、ロックボタン２５，２７のうち一部のロックボタンを押し下げればプラグ抜けを抑制することができ、操作性が向上する。
【００６９】
Ｂ．変形例：
なお、この発明は上記実施形態に限られるものではなく、その要旨を逸脱しない範囲において種々の態様において実施することが可能であり、例えば次のような変形も可能である。
【００７０】
Ｂ１．変形例１：
上記実施形態では、イヤホンジャック３２，３４は、イヤホン７０，８０を電磁石３６，３８による磁力によって接続する力を電気的に強くしているが、接続する力は磁力に限られず、種々変形可能である。例えば、保持部２１，２３の内部には、ロックボタン２５，２７が押し下げられると、押し下げられた力をイヤホンジャック３２，３４とイヤホンプラグ７２，８２との接続部を圧迫するような機械的な構造が形成されていても良い。この変形例の頭部装着型表示装置１００では、上記実施形態と同じように、プラグ抜けを抑制でき、使用者の押し下げる力に基づいて接続部を圧迫する力が強くなるので、使用者が感覚的に操作でき、操作性が向上する。
【００７１】
また、上記実施形態では、頭部装着型表示装置１００における頭部装着部２０と制御部１０は別体である構成としたが、構成はこれに限られず、種々変形可能である。例えば、頭部装着部２０の内部に制御部１０が配置されても良い。この変形例の頭部装着型表示装置１００では、制御部１０と頭部装着部２０とが一体となって形成されているため、携帯性が向上する。
【００７２】
Ｂ２．変形例２：
上記実施形態では、ロックボタン２５，２７は、保持部２１，２３に配置されたが配置される場所については種々変形可能であり、また、形状についても種々変形可能である。例えば、ロックボタン２５，２７は、頭部装着部２０ではなく、制御部１０における操作部１３５に配置されても良い。また、例えば、ロックボタン２５，２７は、押し下げ式のボタンではなく、センサーで使用者の指の接触を検出する態様であっても良いし、スプリング等によって頭部装着部２０における相対位置が固定されておらず、押し下げられると相対位置が変化して固定されるノック式のボタンであっても良い。
【００７３】
また、上記実施形態では、右ロックボタン２５および左ロックボタン２７のように２つのロックボタン２５，２７が配置されたが、ロックボタンの数については種々変形可能であり、１つであっても良いし、３つ以上であっても良い。また、上記実施形態では、右ロックボタン２５または左ロックボタン２７のいずれか１つを押し下げると、右側電磁石３６および左側電磁石３８の両方に電流が供給されて、電磁石３６，３８が磁石として機能する。しかし、ロックボタン２５，２７と電流が供給される電磁石３６，３８との関係は、これに限られず、種々変形可能である。例えば、複数配置されたロックボタン全てを押し下げたときのみ、電磁石３６，３８が磁石として機能しても良い。また、複数あるロックボタンおよび複数ある電磁石のうち、いずれかのロックボタンと電磁石とが対応付けられていても良い。具体的には、右ロックボタン２５が押し下げられた場合には、左側電磁石３８のみが磁石として機能し、左ロックボタン２７が押し下げられた場合には、右側電磁石３６のみが磁石として機能しても良い。
【００７４】
また、頭部装着型表示装置１００における頭部装着部２０または制御部１０に、ロックボタン２５，２７とは異なり、イヤホンロックを行なわないキャンセルボタンを備える態様としても良い。例えば、図１におけるメニューキー１７のいずれかにキャンセルボタンとしての機能を割り当てても良い。また、キャンセルボタンが配置される位置は、メニューキー１７に限られず、種々変形可能である。なお、この変形例におけるキャンセルボタンとして機能するメニューキー１７は、本発明における第２の操作部に相当する。
【００７５】
この変形例の頭部装着型表示装置１００では、ロックボタン２５，２７の隣に、ロックボタン２５，２７よりも形状が小さい押し下げ式のキャンセルボタンが配置される。使用者がキャンセルボタンを押し下げると、ロックボタン２５，２７を押し下げているか否かに関わらず、イヤホンジャック３２，３４の電磁石３６，３８には電流が供給されずに、電磁石３６，３８が磁石として機能しない。この変形例の頭部装着型表示装置１００では、使用者が頭部装着部２０に接続されたイヤホン７０または左イヤホン８０を取り外したい場合に、頭部装着部２０を掴んだ位置にロックボタン２５，２７が配置されていたとしても、キャンセルボタンを押し下げることで、容易に頭部装着部２０からイヤホン７０，８０を取り外すことができる。
【００７６】
Ｂ３．変形例３：
上記実施形態では、頭部装着部２０とイヤホン７０，８０とを接続する接続部として、頭部装着部２０におけるイヤホンジャック３２，３４とイヤホン７０，８０におけるイヤホンプラグ７２，８２とが接続するとしたが、接続部の態様はこれに限られず、種々変形可能である。
【００７７】
図７は、変形例における頭部装着部２０と右イヤホン７０との接続部の詳細を示す説明図である。図７には、頭部装着部２０に配置された装着部側接続部３１と、右イヤホン７０に配置されたイヤホン側接続部７１とが示されている。なお、装着部側接続部３１およびイヤホン側接続部７１に接続される配線の図示は省略している。装着部側接続部３１は、円盤状の形状であり、イヤホン側接続部７１と接続する面に円盤状の永久磁石３９を２つ有している。また、装着部側接続部３１の内部には、電磁石３６ａが２箇所に配置されている。イヤホン側接続部７１は、金属製の材質で円盤状の形状であり、装着部側接続部３１と接続する面に永久磁石３９と嵌合するための穴部７９が２つ配置されている。この変形例の装着部側接続部３１とイヤホン側接続部７１とは、永久磁石３９が穴部７９と磁力によって吸着することで、頭部装着部２０と右イヤホン７０とが接続される。また、上記実施例と同じように、電流供給部１６８が電磁石３６ａに電流を供給することで、永久磁石３９と穴部７９との接続する力に加えて、電磁石３６ａによる磁力によって、装着部側接続部３１とイヤホン側接続部７１とを接続する力を強くすることができる。この変形例の頭部装着型表示装置１００では、上記実施形態の頭部装着型表示装置１００と同じように、使用者が頭部に装着された頭部装着型表示装置１００を取り外すときに、イヤホン７０，８０が使用者の耳に引っかかって、装着部側接続部３１とイヤホン側接続部７１との接続が外れることを抑制することができる。
【００７８】
Ｂ４．変形例４：
上記実施形態では、イヤホンロックにおける接続する力の強弱（以降、「イヤホンロックの強弱」とも呼ぶ）は、ロックボタン２５，２７と検出基板６５との接触圧力に基づいて変化するとしたが、イヤホンロックの強弱の変化方法についてはこれに限られず、種々変形可能である。例えば、上記実施形態におけるロックボタン２５，２７は、保持部２１，２３において使用者の頭部に装着された状態で眼前側と側頭部側とで２分割されており、眼前側のボタンが接続する力の強いロックボタンであり、側頭部側のボタンが力の弱いロックボタンである構成としても良い。この変形例の頭部装着型表示装置１００では、使用者はロックボタン２５，２７に必要以上に力を加えなくても、押し下げる箇所を変えることでイヤホンロックの強弱を制御でき、使用者の操作性を向上させることができる。
【００７９】
また、制御部１０または頭部装着部２０に、ロックボタン２５，２７とは別にイヤホンロックの強弱を調整するスライド式のスイッチを形成しても良い。この変形例の頭部装着型表示装置１００では、使用者の意思によってイヤホンロックの強弱の設定を変更でき、かつ、ロックボタン２５，２７の押し下げ箇所によらないで一定の力でイヤホンロックを行なうことができるため、使用者の操作性を向上させることができる。
【００８０】
Ｂ５．変形例５：
上記実施形態では、図５のステップＳ３９０において、右ロックボタン２５および左ロックボタン２７が押し下げられずに経過した時間が１０秒未満の場合には、電磁石３６，３８は、電流が供給されて磁石として機能する。しかし、ロックボタン２５，２７が押し下げられたタイミングと電磁石３６，３８が磁石として機能するか否かの制御については、上記実施形態の態様に限られず、種々変形可能である。例えば、上記実施形態では、制御判定の時間を１０秒としているが、制御判定の時間については、これに限られず、５秒または１５秒といった時間であっても良い。また、制御判定の時間が０秒、すなわち、ロックボタン２５，２７が押し下げられない場合には、即座に電磁石３６，３８に電流の供給を中止する制御であっても良い。また、操作部１３５が使用者に操作されることにより、制御判定の時間を自由に設定できる態様としても良いし、右ロックボタン２５と左ロックボタン２７とで、制御判定の時間が異なっていても良い。また、ロックボタン２５，２７が複数のボタンに分割されていて、ボタンごとに制御判定の時間が異なっていても良い。
【００８１】
Ｂ６．変形例６：
上記実施形態では、使用者の耳に装着される音声出力装置（耳装着型音声出力装置）として、使用者の耳の中にスピーカー部分を挿入して耳に引っかけるイヤホン（インナーイヤー型イヤホン）を用いて説明したが、耳装着型音声出力装置はこの態様に限られず、種々変形可能である。例えば、ヘッドホン、耳掛け型のイヤホン、ネックバンド型のイヤホンであっても良い。
【００８２】
本発明は、上記実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【００８３】
１０…制御部
１１…決定キー
１２…点灯部
１３…表示切替キー
１４…トラックパッド
１５…輝度切替キー
１６…方向キー
１７…メニューキー（第２の操作部）
１８…電源スイッチ
２０…頭部装着部
２１…右保持部
２２…右表示駆動部
２３…左保持部
２４…左表示駆動部
２５…右ロックボタン（第１の操作部）
２６…右光学像表示部（画像光照射部）
２７…左ロックボタン（第１の操作部）
２８…左光学像表示部（画像光照射部）
３１…装着部側接続部
３２…右イヤホンジャック（装着部側接続部）
３４…左イヤホンジャック（装着部側接続部）
３６…右側電磁石（調整部）
３７…挿入部
３８…左側電磁石（調整部）
３９…永久磁石
４０…接続部
４２…右コード
４４…左コード
４６…連結部材
４８…本体コード
５１…送信部
５３…受信部
６５…検出基板（調整部）
７０…右イヤホン（耳装着型音声出力部）
７１…イヤホン側接続部
７２…右イヤホンプラグ（音声出力側接続部）
７４…右イヤホンプラグの金属部
７９…イヤホン側接続部の穴部
８０…左イヤホン（耳装着型音声出力部）
８２…左イヤホンプラグ（音声出力側接続部）
８４…左イヤホンプラグの金属部
１００…頭部装着型表示装置
１１０…入力情報取得部
１２０…記憶部
１３０…電源
１３５…操作部
１４０…ＣＰＵ
１６０…画像処理部
１６５…検出制御部（調整部）
１６８…電流供給部（調整部）
１７０…音声処理部
１８０…インターフェイス
１９０…表示制御部
２０１…右バックライト制御部
２０２…左バックライト制御部
２１１…右ＬＣＤ制御部
２１２…左ＬＣＤ制御部
２２１…右バックライト
２２２…左バックライト
２４１…右ＬＣＤ
２４２…左ＬＣＤ
２５１…右投写光学系
２５２…左投写光学系
２６１…右導光板
２６２…左導光板
ＰＣＬＫ…クロック信号
ＶＳｙｎｃ…垂直同期信号
ＨＳｙｎｃ…水平同期信号
Ｄａｔａ…画像データ
ＯＡ…外部機器
ＲＥ…使用者の右眼
ＬＥ…使用者の左眼
ＡＰ…保持部の先端部
ＥＬ…左光学像表示部の端部
ＥＲ…右光学像表示部の端部
【図１】
2014068200.tif 000003
【図２】
2014068200.tif 000004
【図３】
2014068200.tif 000005
【図４】
2014068200.tif 000006
【図５】
2014068200.tif 000007
【図６】
2014068200.tif 000008
【図７】
2014068200.tif 000009